【手続補正書】
【提出日】平成29年9月20日(2017.9.20)
【手続補正１】
【補正対象書類名】特許請求の範囲
【補正対象項目名】全文
【補正方法】変更
【補正の内容】
【特許請求の範囲】
【請求項１】
誘導素子（１２）の駆動を監視する装置（２８）であって、
電流測定素子（２０）が、前記誘導素子（１２）に対して直列に接続される（１３）、前記装置（２８）において、
前記装置（２８）は、
前記電流測定素子（２０）を通って流れる電流（２７）を特徴付ける離散時間および離散値の第１の信号（ｓ１）を定め、
前記電流測定素子（２０）を通って流れる電流（２７）を特徴付け、前記第１の信号（ｓ１）に対して予め設定可能な時間的ずれを有する離散時間および離散値の第２の信号（ｓ２）を定め、
前記第１の信号（ｓ１）と前記第２の信号（ｓ２）との比較（４７）から、分路（２６）の存在を推測するように構成されることを特徴とする、装置（２８）。
【請求項２】
前記装置（２８）は、前記電流測定素子（２０）内で発生する電圧降下であって、前記電流測定素子（２０）を通って流れる前記電流（２７）を特徴付ける前記電圧降下が確認されて、ＡＤ変換器（３４）によって、前記第１の信号（ｓ１）へと変換されることにより、前記第１の信号（ｓ１）を定めるように構成される、請求項１に記載の装置（２８）。
【請求項３】
前記ＡＤ変換器（３４）は、シグマデルタＡＤ変換器である、請求項２にに記載の装置（２８）。
【請求項４】
前記装置（２８）は、前記第２の信号（ｓ２）を、遅延操作（３８）により前記第１の信号（ｓ１）から獲得するように構成される、請求項１〜３のいずれか１項に記載の装置（２８）。
【請求項５】
前記装置（２８）は、前記比較（４７）の枠組みにおいて、以下の工程、すなわち、
前記第１の信号（ｓ１）と前記第２の信号（ｓ２）との間の差異を特徴付ける信号（ｄ１２）を、形成する工程と、
前記第１の信号（ｓ１）と前記第２の信号（ｓ２）との間の前記差異を特徴付ける前記信号（ｄ１２）、および／または、前記信号（ｄ１２）から導出される信号（ｄ１２’；ｄ１２’’）と、対応する予め設定可能な閾値（４４）とを比較する工程（７５）と、
を実行するように構成される、請求項１〜４のいずれか１項に記載の装置（２８）。
【請求項６】
前記第１の信号（ｓ１）と前記第２の信号（ｓ２）との間の差異を特徴付ける前記信号（ｄ１２）は、前記信号（ｓ１、ｓ２）の差分形成（４１）を利用して形成される、請求項５に記載の装置（２８）。
【請求項７】
前記装置（２８）は、
前記第１の信号（ｓ１）と前記第２の信号（ｓ２）との間の前記差異を特徴付ける前記信号（ｄ１２）、および／または、前記信号（ｄ１２）から導出される信号（ｄ１２’；ｄ１２’’）に対して、フィルタリング、デシメーション、および、サンプリングレートの低減のうちの１または２以上を行うように構成される、請求項５または６に記載の装置（２８）。
【請求項８】
前記装置（２８）は、前記比較（４７）の枠組みにおいて、以下の工程、すなわち、
前記第１の信号（ｓ１）および／または前記第２の信号（ｓ２）に対して、フィルタリング、デシメーション、および、サンプリングレートの低減のうちの１または２以上を行い、フィルタに掛けられおよび／またはサンプリングレートが下げられた第１の信号（ｓ１’）、および／または、フィルタに掛けられおよび／またはサンプリングレートが下げられた第２の信号（ｓ２’）を獲得する工程と、
前記フィルタに掛けられおよび／またはサンプリングレートが下げられた第１の信号（ｓ１’）と、前記フィルタに掛けられおよび／またはサンプリングレートが下げられた第２の信号（ｓ２’）との間の差異を形成し、前記フィルタに掛けられおよび／またはサンプリングレートが下げられた第１の信号（ｓ１’）と、前記フィルタに掛けられおよび／またはサンプリングレートが下げられた第２の信号（ｓ２’）との間の前記差異を特徴付ける信号（ｄ１２’）を獲得する工程と、
前記フィルタに掛けられおよび／またはサンプリングレートが下げられた第１の信号（ｓ１’）と、前記フィルタに掛けられおよび／またはサンプリングレートが下げられた第２の信号（ｓ２’）との間の前記差異を特徴付ける信号（ｄ１２’）、および／または、前記信号（ｄ１２’）から導出される信号（ｄ１２’’）と、対応する予め設定可能な閾値（４４）とを比較する工程（７５）と、
を実行するように構成される、請求項１〜７のいずれか１項に記載の装置（２８）。
【請求項９】
前記フィルタに掛けられおよび／またはサンプリングレートが下げられた第１の信号（ｓ１’）と、前記フィルタに掛けられおよび／またはサンプリングレートが下げられた第２の信号（ｓ２’）との間の差異は、差分形成（４１）を利用して形成される、請求項８に記載の装置（２８）。
【請求項１０】
前記フィルタに掛けられおよび／またはサンプリングレートが下げられた第１の信号（ｓ１’）、前記フィルタに掛けられおよび／またはサンプリングレートが下げられた第２の信号（ｓ２’）、および、前記フィルタに掛けられおよび／またはサンプリングレートが下げられた第１の信号（ｓ１’）と前記フィルタに掛けられおよび／またはサンプリングレートが下げられた第２の信号（ｓ２’）との間の前記差異を特徴付ける前記信号（ｄ１２’）のうちの１または２以上は、前記第１の信号（ｓ１）および／または前記第２の信号（ｓ２）よりも低いサンプリングレートを有する、請求項８または９に記載の装置（２８）。
【請求項１１】
前記フィルタに掛けられおよび／またはサンプリングレートが下げられた第１の信号（ｓ１’）、前記フィルタに掛けられおよび／またはサンプリングレートが下げられた第２の信号（ｓ２’）、および、前記フィルタに掛けられおよび／またはサンプリングレートが下げられた第１の信号（ｓ１’）と前記フィルタに掛けられおよび／またはサンプリングレートが下げられた第２の信号（ｓ２’）との間の前記差異を特徴付ける前記信号（ｄ１２’）のうちの１または２以上は、前記第１の信号（ｓ１）および／または前記第２の信号（ｓ２）とは異なる分解能を有する、請求項８〜１０のいずれか１項に記載の装置（２８）。
【請求項１２】
誘導素子（１２）の駆動を監視する方法であって、電流測定素子（２０）が、前記誘導素子（１２）に対して直列に接続される（１３）、前記方法において、
前記方法は、以下の工程、すなわち、
前記電流測定素子（２０）を通って流れる電流（２７）を特徴付ける離散時間および離散値の第１の信号（ｓ１）を定める工程と、
前記電流測定素子（２０）を通って流れる電流（２７）を特徴付け、前記第１の信号（ｓ１）に対して予め設定可能な時間的ずれを有する離散時間および離散値の第２の信号（ｓ２）を定める工程と、
分路（２６）の存在を推測するために、前記第１の信号（ｓ１）と前記第２の信号（ｓ２）とを比較する工程と（４７）と、
を含む、方法。
【請求項１３】
前記電流測定素子（２０）内で発生する電圧降下であって、前記電流測定素子（２０）を通って流れる前記電流（２７）を特徴付ける前記電圧降下が確認されて、ＡＤ変換器（３４）によって、前記第１の信号（ｓ１）へと変換されることにより、前記第１の信号（ｓ１）が定められる、請求項１２に記載の方法。
【請求項１４】
前記ＡＤ変換器（３４）は、シグマデルタＡＤ変換器である、請求項１３に記載の方法。
【請求項１５】
前記第２の信号（ｓ２）は、遅延操作（３８）により前記第１の信号（ｓ１）から形成される、請求項１２〜１４のいずれか１項に記載の方法。
【請求項１６】
前記比較（４７）の枠組みにおいて、以下の工程、すなわち、
前記第１の信号（ｓ１）と前記第２の信号（ｓ２）との間の差異を特徴付ける信号（ｄ１２）を、形成する工程と、
前記第１の信号（ｓ１）と前記第２の信号（ｓ２）との間の前記差異を特徴付ける前記信号（ｄ１２）、および／または、前記信号（ｄ１２）から導出される信号（ｄ１２’；ｄ１２’’）と、対応する予め設定可能な閾値（４４）とを比較する工程（７５）と、
が実行される、請求項１２〜１５のいずれか１項に記載の方法。
【請求項１７】
前記第１の信号（ｓ１）と前記第２の信号（ｓ２）との間の差異を特徴付ける前記信号（ｄ１２）は、前記信号（ｓ１、ｓ２）の差分形成（４１）を利用して形成される、請求項１６に記載の方法。
【請求項１８】
前記第１の信号（ｓ１）と前記第２の信号（ｓ２）との間の前記差異を特徴付ける前記信号（ｄ１２）、および／または、前記信号（ｄ１２）から導出される信号（ｄ１２’；ｄ１２’’）に対して、フィルタリング、デシメーション、および、サンプリングレートの低減のうちの１または２以上が行われる、請求項１６または１７に記載の方法。
【請求項１９】
前記比較（４７）の枠組みにおいて、以下の工程、すなわち、
前記第１の信号（ｓ１）および／または前記第２の信号（ｓ２）に対して、フィルタリング、デシメーション、および、サンプリングレートの低減のうちの１または２以上を行い、フィルタに掛けられおよび／またはサンプリングレートが下げられた第１の信号（ｓ１’）、および／または、フィルタに掛けられおよび／またはサンプリングレートが下げられた第２の信号（ｓ２’）を獲得する工程と、
前記フィルタに掛けられおよび／またはサンプリングレートが下げられた第１の信号（ｓ１’）と、前記フィルタに掛けられおよび／またはサンプリングレートが下げられた第２の信号（ｓ２’）との間の差異を形成し、前記フィルタに掛けられおよび／またはサンプリングレートが下げられた第１の信号（ｓ１’）と、前記フィルタに掛けられおよび／またはサンプリングレートが下げられた第２の信号（ｓ２’）との間の前記差異を特徴付ける信号（ｄ１２’）を獲得する工程と、
前記フィルタに掛けられおよび／またはサンプリングレートが下げられた第１の信号（ｓ１’）と、前記フィルタに掛けられおよび／またはサンプリングレートが下げられた第２の信号（ｓ２’）との間の前記差異を特徴付ける信号（ｄ１２’）、および／または、前記信号（ｄ１２’）から導出される信号と、対応する予め設定可能な閾値（４４）とを比較する工程（７５）と、
が実行される、請求項１２〜１８のいずれか１項に記載の方法。
【請求項２０】
前記フィルタに掛けられおよび／またはサンプリングレートが下げられた第１の信号（ｓ１’）と、前記フィルタに掛けられおよび／またはサンプリングレートが下げられた第２の信号（ｓ２’）との間の差異は、差分形成（４１）を利用して形成される、請求項１９に記載の方法。
【請求項２１】
前記フィルタに掛けられおよび／またはサンプリングレートが下げられた第１の信号（ｓ１’）、前記フィルタに掛けられおよび／またはサンプリングレートが下げられた第２の信号（ｓ２’）、および、前記フィルタに掛けられおよび／またはサンプリングレートが下げられた第１の信号（ｓ１’）と前記フィルタに掛けられおよび／またはサンプリングレートが下げられた第２の信号（ｓ２’）との間の前記差異を特徴付ける前記信号（ｄ１２’）のうちの１または２以上は、前記第１の信号（ｓ１）および／または前記第２の信号（ｓ２）よりも低いサンプリングレートを有する、請求項１９または２０に記載の方法。
【請求項２２】
前記フィルタに掛けられおよび／またはサンプリングレートが下げられた第１の信号（ｓ１’）、前記フィルタに掛けられおよび／またはサンプリングレートが下げられた第２の信号（ｓ２’）、および、前記フィルタに掛けられおよび／またはサンプリングレートが下げられた第１の信号（ｓ１’）と前記フィルタに掛けられおよび／またはサンプリングレートが下げられた第２の信号（ｓ２’）との間の前記差異を特徴付ける前記信号（ｄ１２’）のうちの１または２以上は、前記第１の信号（ｓ１）および／または前記第２の信号（ｓ２）とは異なる分解能を有する、請求項１９〜２１のいずれか１項に記載の方法。